(57)【要約】【課題】複数機種の使用するバッテリの容量が大きく異なっていても良好に充電できるようにすることを目的とする。【解決手段】電子機器１とのデータの送受信及び/又は電源供給を電子機器側コネクタ１ａとクレイドル本体２に設けたクレイドル側コネクタ２ａとを接続して行うようにした電子機器用クレイドル装置において、このクレイドル本体２に第１又は第２の電子機器を載置する第１又は第２の載置板３１又は３２を取り付けるようにし、このクレイドル本体２に識別子検出手段７、４３ａ，４３ｂを設けると共にこの第１及び第２の載置板３１及び３２にそれぞれ識別子３１ｅ及び３２ｅを設けたものである。【選択図】図１
2009219203.tif 000002
【特許請求の範囲】
【請求項１】
電子機器とのデータの送受信及び／又は電源供給を電子機器側コネクタとクレイドル本体に設けたクレイドル側コネクタとを接続して行うようにした電子機器用クレイドル装置において、
前記クレイドル本体に第１又は第２の電子機器を載置する第１又は第２の載置板を取り付けるようにし、前記クレイドル本体に識別子検出手段を設けると共に前記第１及び第２の載置板にそれぞれ識別子を設けたことを特徴とする電子機器用クレイドル装置。
【請求項２】
請求項１記載の電子機器用クレイドル装置において、
検出した識別子により充電回路を切り換えるようにしたことを特徴とする電子機器用クレイドル装置。
【請求項３】
請求項１記載の電子機器用クレイドル装置において、
検出した識別子により前記電子機器側コネクタの端子の全部又は一部の送受信信号及び/又は電源を切り換えるようにしたことを特徴とする電子機器用クレイドル装置。
【請求項４】
請求項１記載の電子機器用クレイドル装置において、
前記第１及び第２の載置板の識別子を抵抗値の異なる抵抗器で構成したことを特徴とする電子機器用クレイドル装置。
【請求項５】
請求項１記載の電子機器用クレイドル装置において、
前記第１及び第２の載置板の識別子を電気回路で構成したことを特徴とする電子機器用クレイドル装置。
【請求項６】
請求項１記載の電子機器用クレイドル装置において、
前記第１及び第２の載置板の識別子検出手段をホトカップラで構成したことを特徴とする電子機器用クレイドル装置。
【請求項７】
請求項１記載の電子機器用クレイドル装置において、
前記第１及び第２の載置板の識別子を前記第１及び第２の載置板の形状変化で構成したことを特徴とする電子機器用クレイドル装置。
【請求項８】
請求項１記載の電子機器用クレイドル装置において、
前記第１及び第２の載置板の形状変化により、前記第１又は第２の載置板を前記クレイドル本体に取り付けたときに、前記クレイドル本体のクレイドル側コネクタが前記第１又は第２の電子機器の電子機器側コネクタに対応する位置に移動するようにしたことを特徴とする電子機器用クレイドル装置。
【請求項９】
電子機器とのデータの送受信及び/又は電源供給を電子機器側コネクタとクレイドル本体に設けたクレイドル側コネクタとを接続して行うようにした電子機器用クレイドル装置を備えた電子装置において、
前記クレイドル本体に第１又は第２の電子機器を載置する第１又は第２の載置板を取り付けるようにし、前記クレイドル本体に識別子検出手段を設けると共に前記第１及び第２の載置板にそれぞれ識別子を設けたことを特徴とする電子装置。
【発明の詳細な説明】
【技術分野】
【０００１】
本発明は、小型のデジタルスチルカメラ等の電子機器の小型化を優先しつつ利便性を向上するための電子機器用クレイドル装置及び電子装置に関する。
【背景技術】
【０００２】
一般に、小型のデジタルスチルカメラ等の電子機器においては、種々の端子機能を一つにまとめた拡張用の特殊コネクタ（電子機器側コネクタ、これは雌型コネクタである）を装備している。
【０００３】
従来、小型のデジタルスチルカメラ等の電子機器とのデータの送受信及び／又は電源供給を電子機器用クレイドル装置を用いて行う場合には、図２１に示すように、デジタルスチルカメラ１の拡張用の特殊コネクタを、電子機器用クレイドル装置のクレイドル本体２に設けたクレイドル側コネクタ（雄型コネクタ）に接続して行っている。
【０００４】
また、この電子機器用クレイドル装置とテレビジョン受像機等との接続においては、この電子機器用クレイドル装置のクレイドル本体２に装備した通常のビデオ端子やＵＳＢ端子等を使用して接続することができるので、デジタルスチルカメラ１の小型化を優先して、その利便性を向上するようにしている。
【０００５】
図２１に示すような電子機器用クレイドル装置のクレイドル本体２においては、デジタルスチルカメラ１に保存されている画像データをテレビジョン受像機３で拡大して表示させて閲覧あるいは鑑賞している。また、表示された画像データの中から選択した画像データをプリンタ４で印刷することもある。このように、電子機器用クレイドル装置のクレイドル本体２に備えられている充電又は電源供給回路を介して、デジタルスチルカメラ１の内蔵バッテリを充電したり、電源供給を行ったりすることが可能である。この図２１において、５は電子機器用クレイドル装置のクレイドル本体２等を遠隔制御するコマンダである。
【０００６】
このデジタルスチルカメラ１が電子機器用クレイドル装置のクレイドル本体２に装着され、電子機器側コネクタとクレイドル側コネクタとが接続された状態でのシステム構成例を、図２２を参照して説明する。
図２２は、デジタルスチルカメラ１の電子機器側コネクタ１ａに電子機器用クレイドル装置のクレイドル本体２のクレイドル側コネクタ２ａが挿着接続された状態でのシステム構成例を示している。
【０００７】
この電子機器用クレイドル装置のクレイドル本体２に内蔵される回路は、定電圧電源回路６、マイクロコンピュータ等よりなる制御部７、充電回路８、クロック発生回路９、入出力端子１０ａ〜１０ｃ、制御部７への入力スイッチ１３、１４、表示ランプ１２ａ、１２ｂ等から構成されている。ここでクロック発生回路９は制御部７へクロック信号を供給している。
【０００８】
デジタルスチルカメラ１の電子機器側コネクタ１ａは、クレイドル側コネクタ２ａ、ケーブル２ｄを介してクレイドル本体２に接続される。そして、ケーブル２ｄを構成する配線の内の一部が、「ＡＶ信号出力」端子１０ａ、「ＵＳＢ」端子１０ｂ、「ＤＣＩＮ」端子１０ｃに接続されている。また、ケーブル２ｄを構成する配線が一部引き出されて、「ＬＣＤ」と「ＴＶ」との表示切り替えのためのディスプレイ選択スイッチ１１となっている。
【０００９】
そして、「ＡＶ信号出力」端子１０ａと「ＵＳＢ」端子１０ｂとは、ケーブル２ｄを介して直接デジタルスチルカメラ１と接続されている。また、「ＤＣＩＮ」端子１０ｃを介して供給される電源は、定電圧電源回路６を介して制御部７に供給されると共に、制御部７の監視のもとで必要に応じて充電回路８を介してデジタルスチルカメラ１のバッテリを充電する。なお、図示しないＡＣアダプタに接続されているＤＣプラグが「ＤＣＩＮ」端子１０ｃに接続されるとき、ＰＯＷＥＲランプ１２ｂを点灯するようにする。
【００１０】
さらに、制御部７には、電源（ＰＯＷＥＲ）スイッチ１３と、スライドショースイッチ１４と、チャージランプ１２ａに対応する３つのＬＥＤランプと、リモコン受光部１５と、ケーブル２ｄを介してデジタルスチルカメラ１とが接続されている。ここでデジタルスチルカメラ１との信号送受信では、適宜の信号変換が行われる。
【００１１】
この電子機器用クレイドル装置のクレイドル本体２にＤＣプラグを接続し、デジタルスチルカメラ１の電源を切った状態でデジタルスチルカメラ１の電子機器側コネクタ１ａをクレイドル側コネクタ２ａに挿着接続すると、内蔵バッテリの充電が開始され、充電状況が３つのＬＥＤ（チャージランプ１２ａ）により表示される。
【００１２】
そして、外部のテレビジョン受像機３に画像を表示させるときは、クレイドル本体２の「ＡＶ信号出力」端子１０ａとテレビジョン受像機３のＡＶ入力端子を所定のケーブルで接続し、ディスプレイ選択スイッチ１１を「ＴＶ」に合わせる。それから、デジタルスチルカメラ１側のモード切替えスイッチを「再生」に切り替えて、クレイドル本体２のＰＯＷＥＲスイッチ１３をＯＮしてデジタルスチルカメラ１の電源をＯＮさせる。
そして、テレビジョン受像機３の電源をＯＮしてから表示を「ビデオ」モードにする。
【００１３】
この状態で、デジタルスチルカメラ１、もしくは図示しないリモコンのコントロールボタンにより、保存されている画像データを選択してテレビジョン受像機３に表示させることができる。
また、この状態では、スライドショースイッチ１４が有効になり、このスライドショースイッチ１４を押すことにより画像データを順次再生させることができる。
なお、ディスプレイ選択スイッチ１１を「ＬＥＤ」に合わせると、テレビジョン受像機３ではなくデジタルスチルカメラ１の画像モニタに再生画像を表示させることができる。
【００１４】
ところで、従来、電子機器用クレイドル装置として、特許文献１に開示のものが提案されている。この特許文献１に開示の電子機器用クレイドル装置は、電子機器の複数機種に対応し、簡単に機能を拡張できるようにしたものである。
【特許文献１】特開２００７−９６８８３号公報
【発明の開示】
【発明が解決しようとする課題】
【００１５】
然しながら、特許文献１に開示の電子機器用クレイドル装置を用いて複数機種例えば図１９、図２０に示すようなデジタルスチルカメラＡ及びＢのバッテリを充電するようにしたときには、機種の異なるデジタルスチルカメラＡ及びＢの使用するバッテリの容量が大きく異なるものが存在する。
【００１６】
このため、小さい容量のバッテリを充電するようにした充電電流の小さい充電回路を有する電子機器用クレイドル装置においては、大容量のバッテリを使用する例えばデジタルスチルカメラＢにおいて、バッテリを充電するのに時間がかかり過ぎる不都合があった。
【００１７】
また、大容量のバッテリを充電するようにした充電電流の大きい充電回路を有する電子機器用クレイドル装置においては、小容量のバッテリを使用する例えばデジタルスチルカメラＡにおいて、バッテリを破壊する懼れがある不都合があった。
【００１８】
この図１９及び図２０のデジタルスチルカメラＡ及びＢにおいては、デジタルスチルカメラＡ及びＢの電子機器側コネクタ１ａ及び１ａの位置が右側及び左側に異なる位置にある（特に、図１９Ｃ及び図２０Ｃの底面図参照）。
【００１９】
なお、図１９Ａ及び図２０Ａは、それぞれデジタルスチルカメラＡ及びＢの背面図、図１９Ｂ及び図２０Ｂは、それぞれデジタルスチルカメラＡ及びＢの正面図である。図１９Ａ及び図２０Ａにおいて、１ｂは液晶表示画面であり、図１９Ｂにおいて、１ｃはレンズバリアである。
【００２０】
本発明は、斯かる点に鑑み、複数機種の使用するバッテリの容量が大きく異なる等デジタルスチルカメラの使用機能の相違があっても良好に対応できるようにすることを目的とする。
【課題を解決するための手段】
【００２１】
本発明電子機器用クレイドル装置は、電子機器とのデータの送受信及び/又は電源供給を電子機器側コネクタとクレイドル本体に設けたクレイドル側コネクタとを接続して行うようにした電子機器用クレイドル装置において、このクレイドル本体に第１又は第２の電子機器を載置する第１又は第２の載置板を取り付けるようにし、このクレイドル本体に識別子検出手段を設けると共にこの第１及び第２の載置板にそれぞれ識別子を設けたものである。
【発明の効果】
【００２２】
本発明によれば、クレイドル本体に第１又は第２の電子機器を載置する第１又は第２の載置板を取り付けるようにし、このクレイドル本体に識別子検出手段を設けると共にこの第１及び第２の載置板にそれぞれ識別子を設けている。このため、この識別子によりこのクレイドル本体に載置した電子機器の使用機能を判断でき、電子機器の使用機能に応じて例えば充電回路を切り換えるようにすれば、複数機種の使用するバッテリの容量が大きく異なっていても良好に充電することができる。
【発明を実施するための最良の形態】
【００２３】
以下、図面を参照して、本発明電子機器用クレイドル装置を実施するための最良の形態の例（以下、「本例」という。）を説明する。
【００２４】
図１は、本例による、電子機器側コネクタ１ａ及び１ａが右側及び左側の大きく異なる位置にあるデジタルスチルカメラＡ及びＢ（図１９、図２０参照）に適用できるようにした電子機器用クレイドル装置のクレイドル本体２を正面側から見た斜視図を示している。この電子機器用クレイドル装置の筐体２１は合成樹脂で形成されており、正面側から背面側に徐々に低くなるように傾斜した横長の直方体となっている。
【００２５】
この図１に示すように、筐体２１の上面のやや前面側に、平行な長方形の載置板を取り付けるための、載置板取り付け用の凹部２２が設けられている。この載置板は、後述するようにデジタルスチルカメラＡ及びＢ毎に専用に設けられるものである。
【００２６】
この凹部２２内に、図１に示すように、クレイドル側コネクタ２ａを取り付けた摺動板２３を、筐体２１の左右両端間をやや斜め方向に移動自在とする移動孔２４が形成されている。この移動孔２４は、クレイドル側コネクタ２ａを前後方向にも僅かに移動可能とするものである。
【００２７】
この筐体２１の移動孔２４に対応して、この筐体２１内に図２Ａ、Ｂに示すような、クレイドル側コネクタ２ａを案内する合成樹脂よりなる案内シャーシ２５が固定されている。この案内シャーシ２５にクレイドル側コネクタ２ａを取り付けた摺動板２３を筐体２１の左右両端方向に案内する案内溝２５ａが設けられている。
【００２８】
本例においては、このクレイドル側コネクタ２ａを取り付けた摺動板２３を案内溝２５ａに沿って移動するのに、後述するように載置板に設けた２つのリブとギア機構により行うようにする。
【００２９】
このギア機構は、図１、図２Ａ及びＢ、図３に示すように、載置板取り付け用の凹部２２の後壁中央部に形成された２つのリブ挿入口２２ａ及び２２ｂに対応した位置に、筐体２１内の上面の下側に一体に設けられたガイド２７ａ及び２７ｂにより、前後方向に摺動自在に２つのラックギア２６ａ及び２６ｂを平行に設ける。この場合、ラックギア２６ａ及び２６ｂは、夫々対向する面にギアが設けられている。
【００３０】
また、図２Ａ及びＢ、図３に示すように、このラックギア２６ａ及び２６ｂが互いに挟んで、互いに噛合ったピニオンギア２８ａを有する大ギア２８を設ける。この大ギア２８は、筐体２１内の上面の下側に植立した回転軸２８ｂに回転自在に取り付けられる。
【００３１】
また、図２Ｂ、図３に示すように、この大ギア２８の左右に、夫々この大ギア２８と噛合い、クレイドル側コネクタ２ａを取り付けた摺動板２３に移動方向に設けられたスライドギア３０に噛合い、この摺動板２３を直線方向に移動する出力ギア２９ａ及び２９ｂを設けたものである。
【００３２】
次に、本例に使用する載置板につき説明する。載置板としては、図４Ａ及びＢに示すように、図１９及び図２０に示すデジタルスチルカメラＡ及びＢのそれぞれに対応して専用の合成樹脂よりなる載置板３１及び３２を用意する。
【００３３】
この載置板３１及び３２の外形は、クレイドル本体２の筐体２１の上面に形成した載置板取り付け用の凹部２２を被う形状とする。
【００３４】
この載置板３１及び３２には、デジタルスチルカメラＡ及びＢの液晶表示画面１ｂ側を前面とし、底面側を載置する載置部３１ａ及び３２ａを設けると共に、デジタルスチルカメラＡ及びＢの底面のそれぞれの電子機器側コネクタ１ａ及び１ａに対応する位置にクレイドル側コネクタ２ａを貫通し係合する開孔３１ｂ及び３２ｂを形成する。
【００３５】
本例においては、図４Ａ及びＢに示すように載置板３１と３２とのそれぞれに載置板取り付け用の凹部２２の後壁中央部に形成された２つのリブ挿入口２２ａ及び２２ｂに対応した位置に、後方に突出した２つのリブ３１ｃ及び３１ｄと３２ｃ及び３２ｄとを設ける。
【００３６】
この載置板３１及び３２のリブ３１ｃ、３２ｃ及び３１ｄ、３２ｄはそれぞれラックギア２６ａ及び２６ｂに当接し、このラックギア２６ａ及び２６ｂの前後方向の位置を決定するものである。
【００３７】
この載置板３１及び３２のリブ３１ｃ、３１ｄ及び３２ｃ、３２ｄの長さは、載置するデジタルスチルカメラＡ及びＢの電子機器側コネクタ１ａ及び１ａの位置で決定され、載置板３１及び３２毎に異なっている。この場合、載置板３１及び３２のリブ３１ｃ、３１ｄ及び３２ｃ、３２ｄの長さは、それぞれの載置板３１及び３２のリブ３１ｃ、３１ｄ及び３２ｃ、３２ｄが、ラックギア２６ａ、２６ｂの移動が、ピニオンギア２８ａに伝達され釣瓶の動きをする長さとする。
【００３８】
この載置板３１又は３２のリブ３１ｃ及び３１ｄ又は３２ｃ及び３２ｄを載置板取り付け用の凹部２２の後壁中央部に形成された２つのリブ挿入口２２ａ及び２２ｂに挿入したときには、図５Ａ、Ｂ、Ｃに示すようにラックギア２６ａ及び２６ｂがリブ３１ｃ及び３１ｄ又は３２ｃ及び３２ｄの長さに応じて前後方向に移動される。この図５Ａ、Ｂ、Ｃは載置板３２のリブ３２ｃ及び３２ｄを２つのリブ挿入口２２ａ及び２２ｂに挿入して、載置板３２を載置板取り付け用の凹部２２に取り付けた状態を示しているが、載置板３１を載置板取り付け用の凹部２２に取り付けたときも同様である。
【００３９】
このときラックギア２６ａ及び２６ｂを押し込んだ（移動した）力（入力した力）は、図５Ｂ及びＣに示すように、ラックギア２６ａ、２６ｂ→ピニオンギア２８ａ→大ギア２８→出力ギア２９ａ、２９ｂと伝達して回転方向の力に変換される。この出力ギア２９ａ、２９ｂの回転力は、クレイドル側コネクタ２ａを取り付けた摺動板２３に設けられたスライドギア３０に伝わり、再び直線方向の力に変換され、この摺動板２３を所定の位置に移動する。
【００４０】
この場合、クレイドル側コネクタ２ａを取り付けた摺動板２３の移動量は、出力ギア２９ａ、２９ｂの回転量によって決まるため、必然的に伝達するラックギア２６ａ、２６ｂの押し込み量によって決まるので、載置板３１、３２のリブ３１ｃ、３１ｄ、３２ｃ、３２ｄの長さが重要な意味を持つ。
【００４１】
クレイドル側コネクタ２ａを取り付けた摺動板２３を例えば左右に７０ｍｍ移動するようにしたものにおいては、このギア機構の出力／入力の増幅率を７．０倍としたときには、ラックギア２６ａ、２６ｂを１０ｍｍ押し込むようにすれば良く、載置板３１、３２のリブ３１ｃ、３２ｄの長さを１０ｍｍとすれば良い。
【００４２】
また、本例においては、載置板３１及び３２のそれぞれのリブ３１ｃ、３１ｄ及び３２ｃ、３２ｄを２つ設けると共にラックギア２６ａ、２６ｂを２つ設けるようにしている。このため図５Ｃに示すように、クレイドル側コネクタ２ａを取り付けた摺動板２３がどこの位置にあっても、載置板３１又は３２のリブ３１ｃ及び３１ｄ又は３２ｃ及び３２ｄをリブ挿入口２２ａ及び２２ｂに押し込むことで、入力されたラックギア２６ａ、２６ｂの移動が、ピニオンギア２８ａに伝達され釣瓶の動きをする。
【００４３】
このため、出力ギア２９ａ、２９ｂは、一定の位置に対応する回転量を自動的に調整し、それに伴いクレイドル側コネクタ２ａを取り付けた摺動板２３は、必ず、載置板３１、３２に合った適正な位置に移動される。
【００４４】
即ち、デジタルスチルカメラＡ又はＢの載置板３１又は３２を、載置板３１又は３２のリブ３１ｃ及び３１ｄ又は３２ｃ及び３２ｄをリブ挿入口２２ａ及び２２ｂに押し込み載置板取り付け用の凹部２２に取り付ける。このときは、載置板３１又は３２の開孔３１ｂ又は３２ｂの位置に、クレイドル側コネクタ２ａが移動し、デジタルスチルカメラＡ又はＢの電子機器側コネクタ１ａ又は１ａとクレイドル側コネクタ２ａとを挿着接続することができる。
【００４５】
また、本例においては、図４Ａ及びＢに示すように載置板３１及び３２にそれぞれ識別子３１ｅ及び３２ｅを設ける。この図４Ａ及びＢの例においては、識別子３１ｅ及び３２ｅとして、この載置板３１及び３２の前側の同じ位置に垂直方向に垂れ下がるように端子板４０をそれぞれ設ける。この端子板４０に２つの接点４０ａ及び４０ｂを所定間隔離して設け、この接点４０ａ及び４０ｂ間に、載置板３１及び３２をそれぞれ識別するための抵抗値の異なる例えば０Ω及び１０ｋΩの抵抗器４１及び４２を接続する。
【００４６】
また、本例においては、クレイドル本体２の筐体２１内の載置板取り付け用の凹部２２の前側の載置板３１及び３２の端子板４０の対応部に、端子板挿入部２２ｃを形成すると共にこのクレイドル本体２の筐体２１内に載置板３１及び３２の端子板４０の接点４０ａ及び４０ｂに接続する検出接点４３ａ及び４３ｂを設ける。
【００４７】
この検出接点４３ａ及び４３ｂは、図６に示すように、クレイドル本体２の制御部７に接続するようにし、この制御部７で載置板３１及び３２のそれぞれ識別子３１ｅ及び３２ｅを構成する抵抗器４１及び４２の抵抗値が基準の抵抗値より大きいか小さいかを判断し、載置板３１か載置板３２か即ちクレイドル本体２のクレイドル側コネクタ２ａに接続されている電子機器側コネクタ１ａがデジタルスチルカメラＡかＢかを判断する。
【００４８】
また、本例においては、この制御部７により、充電回路８を第１の状態と第２の状態とを切り換えるようにする。
【００４９】
この充電回路８の第１の状態とは、例えば、大容量のバッテリを充電するのに適した回路構成で、大電流で充電を行うようにした状態であり、この充電回路８の第２の状態とは、例えば、小容量のバッテリを充電するのに適した回路構成で、小電流で充電を行うようにした状態である。
【００５０】
また、本例においては、この制御部７は、図７に示すフローチャートに示すような動作をするようにする。
【００５１】
本例において、デジタルスチルカメラＡ又はＢのバッテリを充電するときには、このフローチャートに示すように、先ずクレイドル本体２の載置板取り付け用の凹部２２に載置板３１、３２が取り付けられたかを判断する（ステップＳ１）。取り付けられていないときには、このステップＳ１を繰り返す。
【００５２】
このクレイドル本体２の載置板取り付け用の凹部２２に載置板３１、３２が取り付けられたときには、ステップＳ２に移行し、載置板３１、３２の識別子が３１ｅか３２ｅかを判断する。本例では、抵抗器４１、４２の抵抗値が基準抵抗値より、大きいか小さいかで判断する。
【００５３】
このステップＳ２で、抵抗器４２であり、抵抗値が基準抵抗値より大きいと判断したときには、識別子は３２ｅであり、クレイドル本体２に接続されているデジタルスチルカメラは、大容量のバッテリを有するデジタルスチルカメラＢであると判断し、このときは、ステップＳ３に移行する。
【００５４】
ステップＳ３においては、充電回路８を大容量のバッテリを充電するに適した第１の状態に切り換え、その後、充電を実行し（ステップＳ４）、充電が完了したとき（ステップＳ５）には、この充電を終了する。
【００５５】
このステップＳ２で、抵抗器４１であり、抵抗値が基準抵抗値より小さいと判断したときには、識別子は３１ｅであり、クレイドル本体２に接続されているデジタルスチルカメラは、小容量のバッテリを有するデジタルスチルカメラＡであると判断し、このときは、ステップＳ６に移行する。
【００５６】
ステップＳ６においては、充電回路８を小容量のバッテリを充電するに適した第２の状態に切り換え、その後、充電を実行し（ステップＳ４）、充電が完了したとき（ステップＳ５）には、この充電を終了する。
【００５７】
この図６において、図２２に対応する部分には、同一符号を付し、その説明は、省略する。
【００５８】
本例においては、クレイドル本体２にデジタルスチルカメラＡ又はＢを載置する載置板３１又は３２を取り付けるようにし、このクレイドル本体２に識別子を検出する検出接点４３ａ及び４３ｂを設けると共にこの載置板３１及び３２にそれぞれ識別子３１ｅ及び３２ｅを設けている。このため、この識別子３１ｅ及び３２ｅによりこのクレイドル本体２に載置したデジタルスチルカメラＡ又はＢを判断でき、デジタルスチルカメラＡ又はＢの種類に応じて充電回路８を切り換えているので、使用するバッテリの容量が大きく異なっていても良好に充電することができる。
【００５９】
また、図８〜図１１は、本発明電子機器用クレイドル装置を実施するための最良の形態の他の例を示す。この図８〜図１１例につき説明するに、この図８〜図１１において、図１、図４、図６に対応する部分には、同一符号を付し、その詳細説明は省略する。
【００６０】
この図８〜図１１例は、載置板３３を前後逆にも、クレイドル本体２の筐体２１の載置板取り付け用の凹部２２に取り付けようにする。これにより図１１Ａに示すように、このデジタルスチルカメラ１で撮影した画像データをテレビジョン受像機３で表示すると共に図１１Ｂに示すように、デジタルスチルカメラ１で、自分撮りの画像データをテレビジョン受像機３で表示するようにしたものである。図１１Ｂにおいて、１ｄは、デジタルスチルカメラ１の撮影用のレンズである。
【００６１】
本例においては、図８に示すように、クレイドル本体２の筐体２１の上面のやや前面側に、平行な長方形の載置板３３を取り付けるための、載置板取り付け用の凹部２２が設けられている。この凹部２２内の中央部に、クレイドル側コネクタ２ａを設けるようにする。
【００６２】
本例の載置板３３としては、図８に示すように、デジタルスチルカメラ１に専用の合成樹脂よりなるものを用意する。この載置板３３の外形は、クレイドル本体２の筐体２１の上面に形成した載置板取り付け用の凹部２２を被う形状とする。
【００６３】
この載置板３３には、図１１Ａに示すように、デジタルスチルカメラ１の液晶表示画面１ｂ側を前面とし、底面側を載置する載置部３３ａを設ける。また、デジタルスチルカメラ１の底面の電子機器側コネクタ１ａに対応する位置（本例では、中央部にあるものとする。）にクレイドル側コネクタ２ａを貫通し係合する開孔３３ｂを形成する。
【００６４】
また、本例においては、図８に示すように載置板３３に識別子３３ｅを設ける。この識別子３３ｅとして、この載置板３３の前側に垂直方向に垂れ下がるように端子板４０をそれぞれ設ける。この端子板４０に２つの接点４０ａ及び４０ｂを所定間隔離して設け、この接点４０ａ及び４０ｂ間に、所定の抵抗値１ｋΩの抵抗器４５を接続する。
【００６５】
本例においては、図８に示すように、クレイドル本体２の筐体２１内の載置板取り付け用の凹部２２の前側の載置板３３の端子板４０の対応部に、端子板挿入部２２ｃを形成する。また、このクレイドル本体２の筐体２１内の載置板取り付け用の凹部２２の端子板挿入部２２ｃに載置板３３の端子板４０の接点４０ａ及び４０ｂに接続する検出接点４３ａ及び４３ｂを設ける。
【００６６】
また、本例においては、図８に示すように、クレイドル本体２の筐体２１内の載置板取り付け用の凹部２２の後側の前後逆転して載置板３３を挿入装着したときのこの載置板３３の端子板４０の対応部に、端子板挿入部２２ｄを形成する。このクレイドル本体２の筐体２１内の載置板取り付け用の凹部２２の端子板挿入部２２ｄに載置板３３の端子板４０の接点４０ａ及び４０ｂに接続する検出接点４３ｃ及び４３ｄを設ける。
【００６７】
この検出接点４３ａ、４３ｂ、４３ｃ及び４３ｄは、図９に示すように、クレイドル本体２の制御部７に接続される。この制御部７で検出接点４３ａ、４３ｂ、４３ｃ及び４３ｄよりの抵抗値により、載置板３３が図１１Ａに示すように、このデジタルスチルカメラ１で撮影した画像データをテレビジョン受像機３で表示する正方向に挿入装着されているか、この載置板３３が図１１Ｂに示すように、デジタルスチルカメラ１で、自分撮りの画像データをテレビジョン受像機３で表示する逆方向に挿入装着されているかを判断する。
【００６８】
この場合、載置板３３が正方向に挿入装着され、デジタルスチルカメラ１の電子機器側コネクタ１ａとクレイドル本体２のクレイドル側コネクタ２ａとが正方向に接続されたときには、コネクタの接続関係が例えば図１０Ａに示すようになるとする。
【００６９】
然しながら、この載置板３３が逆方向に挿入装着されたときは、デジタルスチルカメラ１の電子機器側コネクタ１ａとクレイドル本体２のクレイドル側コネクタ２ａとが逆方向に接続され、このコネクタの接続関係が図１０Ｂに示すように、図１０Ａとは逆の接続関係となる。
【００７０】
そこで、本例においては、図９に示すように、クレイドル本体２のクレイドル側コネクタ２ａの各端子よりの信号を端子切換回路１６に供給し、この端子切換回路１６を制御部７よりの制御信号により制御する。この制御部７は、検出接点４３ａ及び４３ｂ間に識別子３３ｅの抵抗器４５が接続されたときには、この端子切換回路１６の出力に、デジタルスチルカメラ１で撮影した画像データをテレビジョン受像機３で表示する信号を得るようにする。
【００７１】
また、この制御部７は、検出接点４３ｃ及び４３ｄ間に識別子３３ｅの抵抗器４５が接続されたときには、この制御部７よりの制御信号によりこの端子切換回路１６を切り換え、この端子切換回路１６の出力に、自分撮りの画像データをテレビジョン受像機３で表示する信号を得るようにする。その他は、上述例同様に構成する。
【００７２】
本例によれば、デジタルスチルカメラ１で撮影した画像データをテレビジョン受像機３で表示することができると共にデジタルスチルカメラ１での自分撮りの画像データをテレビジョン受像機３で表示することができる。
【００７３】
また、図１２〜図１５は、本発明電子機器用クレイドル装置を実施するための最良の形態の更に他の例を示す。この図１２〜図１５例につき説明するに、この図１２〜図１５において、図１、図４、図６に対応する部分には、同一符号を付し、その詳細説明は省略する。
【００７４】
この図１２〜図１５例は、図１５Ａに示すように、新デジタルスチルカメラ１の例えばテレビジョン受像機３に送出する映像信号がハイビジョン映像信号であるようにした電子機器用クレイドル装置を、図１５Ａに示すように、旧デジタルスチルカメラ１のテレビジョン受像機３に送出する映像信号が例えばテレビジョン放送信号であるものに対しても対応できるようにしたものである。
【００７５】
本例においては、図１２に示すように、クレイドル本体２の筐体２１の上面のやや前面側に、平行な長方形の載置板を取り付けるための、載置板取り付け用の凹部２２が設けられている。この凹部２２内の中央部に、クレイドル側コネクタ２ａを設けるようにする。
【００７６】
本例の載置板としては、図１２に示すように、新デジタルスチルカメラ１及び旧デジタルスチルカメラ１のそれぞれに対応して専用の合成樹脂よりなる載置板３４及び３５を用意する。この載置板３４及び３５の外形は、クレイドル本体２の筐体２１の上面に形成した載置板取り付け用の凹部２２を被う形状とする。
【００７７】
この載置板３４及び３５には、図１２、図１５Ａ及びＢに示すように、新デジタルスチルカメラ１及び旧デジタルスチルカメラ１の液晶表示画面１ｂ側を前面とし、底面側を載置する載置部３４ａ及び３５ａを設ける。また、新デジタルスチルカメラ１及び旧デジタルスチルカメラ１の底面の電子機器側コネクタ１ａ及び１ａに対応する位置（本例では、中央部にあるものとする。）にクレイドル側コネクタ２ａを貫通し係合する開孔３４ｂ及び３５ｂを形成する。
【００７８】
また、本例においては、図１２に示すように載置板３４及び３５にそれぞれ識別子３４ｅ及び３５ｅを設ける。この図１２の例においては、識別子３４ｅ及び３５ｅとして、この載置板３４及び３５の前側の同じ位置に垂直方向に垂れ下がるように端子板４０をそれぞれ設ける。この端子板４０に２つの接点４０ａ及び４０ｂを所定間隔離して設け、この接点４０ａ及び４０ｂ間に、載置板３４及び３５をそれぞれ識別するための抵抗値の異なる例えば１０Ω及び１ｋΩの抵抗器４６及び４７を接続する。
【００７９】
また、本例においては、クレイドル本体２の筐体２１内の載置板取り付け用の凹部２２の前側の載置板３４及び３５の端子板４０の対応部に、端子板挿入部２２ｃを形成する。このクレイドル本体２の筐体２１内の端子板挿入部２２ｃに載置板３４及び３５の端子板４０の接点４０ａ及び４０ｂに接続する検出接点４３ａ及び４３ｂを設ける。
【００８０】
この検出接点４３ａ及び４３ｂは、図１３に示すように、クレイドル本体２の制御部７に接続するようにし、この制御部７で載置板３４及び３５のそれぞれ識別子３４ｅ及び３５ｅを構成する抵抗器４６及び４７の抵抗値が基準の抵抗値より大きいか小さいかを判断する。即ち、クレイドル本体２のクレイドル側コネクタ２ａに接続されている電子機器側コネクタ１ａが新デジタルスチルカメラ１か旧デジタルスチルカメラ１かを判断する。
【００８１】
この場合、載置板３４が挿入装着され、図１５Ａに示すように、新デジタルスチルカメラ１の電子機器側コネクタ１ａとクレイドル本体２のクレイドル側コネクタ２ａとが接続されたときには、コネクタの接続関係が例えば図１４Ａに示すようになり、例えば端子Ｉ，Ｊ，Ｓ，Ｔに得られるハイビジョン映像信号がテレビジョン受像機３に送出されるようになされている。
【００８２】
然しながら、載置板３５が挿入装着され、図１５Ｂに示すように、旧デジタルスチルカメラ１の電子機器側コネクタ１ａとクレイドル本体２のクレイドル側コネクタ２ａとが接続されたときには、コネクタの接続関係が例えば図１４Ｂに示すようになり、例えば端子Ｗ，Ｘ，Ｙ，Ｚに、テレビジョン放送信号が得られる。
【００８３】
そこで、本例においては、図１３に示すように、クレイドル本体２のクレイドル側コネクタ２ａの各端子よりの信号を端子切換回路１６に供給し、この端子切換回路１６を制御部７よりの制御信号により制御する。この制御部７は、検出接点４３ａ及び４３ｂ間に識別子３５ｅの抵抗器４７が接続されたときには、このクレイドル側コネクタ２ａの図１４Ｂに示すような、端子Ｗ，Ｘ，Ｙ，Ｚに得られるテレビジョン放送信号をこの端子切換回路１６の端子を切り換えて、テレビジョン受像機３のテレビジョン放送信号入力端子に供給するようにする。その他は、上述例と同様に構成する。
【００８４】
本例によれば、新デジタルスチルカメラ１及び旧デジタルスチルカメラ１のそれぞれの電子機器側コネクタ１ａ及び１ａに出力する信号の中身が変化例えばハイビジョン映像信号がテレビジョン放送信号に変化したときにも良好に対応することができる。
【００８５】
また、上述例の電子機器用クレイドル装置をプリンタ、データストレージ、テレビジョン受像機等の電子装置と一体に設けるようにしても良い。図１６は、この電子機器用クレイドル装置７０をプリンタ７１に一体的に設けた例を示す。
【００８６】
この場合、プリンタ７１と電子機器用クレイドル装置７０とを接続するケーブルを不用とすることができると共に、プリンタ内蔵の熱昇華式やインクジェット等によりプリントされた画像７２を直接得ることができる。
【００８７】
また、このプリンタ７１にデータストレージ用のＨＤＤ装置７３を内蔵したときには、デジタルスチルカメラ１の画像データを保存してアルバム化することができる。図１６において、７４、７５は操作ボタンである。
【００８８】
なお、上述例においては、電子機器としてデジタルスチルカメラを適用した例につき述べたが、デジタルスチルカメラに代えてビデオカメラ等のその他の撮像装置や携帯電話、ＰＤＡ（携帯情報端末）等その他のポータブル型電子機器が適用できることは勿論である。
【００８９】
また、上述例においては、識別子として、抵抗値の異なった抵抗器を使用した例につき述べたが、この代りに、図１７Ａ及びＢに示すように、互いに短絡した接点４０ｃ、４０ｄ、４０ｅの位置を変えると共に複数例えば４つの検出接点４３ｅ、４３ｆ、４３ｇ、４３ｈを設けて、接点４０ｃ、４０ｄ、４０ｅの間隔の相違を識別子としても良い。また、ＩＣチップ等の電気回路を識別子としても良い。
【００９０】
また、識別子として、図１８に示すように、遮蔽板４４の孔４４ａのあるなしを用い識別子検出手段として、フォトカプラを用い、これを検出するようにしても良い。
【００９１】
また、識別子として、載置板の形状を変化例えば長さの異なるリブを設け、このリブにより、摺動抵抗器の抵抗値を変化するようにしても良い。
【００９２】
また、上述例においては、識別子により、バッテリを充電する充電回路８の状態を切換えるようにのべたが、この識別子により、クレイドル本体２のその他の機能を切換えるようにしても良い。
【００９３】
また、本発明は、上述例に限ることなく特許請求の範囲に記載した本発明の要旨を逸脱しない限り、その他種々の構成が採り得ることは勿論である。
【図面の簡単な説明】
【００９４】
【図１】本発明電子機器用クレイドル装置を実施するための最良の形態の例を示す斜視図である。
【図２】図１のギア構造の例を示す斜視図である。
【図３】図１の要部の例を示す断面図である。
【図４】載置板の例を示す斜視図である。
【図５】図１の動作説明に供する内部構造の斜視図である。
【図６】本発明電子機器用クレイドル装置を実施するための最良の形態の例を示す構成図である。
【図７】本発明の動作説明に供するフローチャートである。
【図８】本発明電子機器用クレイドル装置を実施するための最良の形態の他の例を示す斜視図である。
【図９】本発明電子機器用クレイドル装置を実施するための最良の形態の他の例を示す構成図である。
【図１０】図８例の説明に供する線図である。
【図１１】図８例の説明に供する線図である。
【図１２】本発明電子機器用クレイドル装置を実施するための最良の形態の更に他の例を示す斜視図である。
【図１３】本発明電子機器用クレイドル装置を実施するための最良の形態の更に他の例を示す構成図である。
【図１４】図１２例の説明に供する線図である。
【図１５】図１２例の説明に供する線図である。
【図１６】本発明電子機器用クレイドル装置を電子装置に一体的に設けた例を示す斜視図である。
【図１７】識別子の例を示す斜視図である。
【図１８】識別子の例を示す斜視図である。
【図１９】デジタルスチルカメラＡを示す図である。
【図２０】デジタルスチルカメラＢを示す図である。
【図２１】電子機器用クレイドル装置の説明に供する線図である。
【図２２】電子機器用クレイドル装置の構成図である。
【符号の説明】
【００９５】
１…デジタルスチルカメラ、１ａ…電子機器側コネクタ、１ｂ…液晶表示画面、２…クレイドル本体、２ａ…クレイドル側コネクタ、７…制御部、８…充電回路、２１…筐体、２２…凹部、２２ａ、２２ｂ…リブ挿入口、２２ｃ、２２ｄ…端子板挿入部、２３…摺動板、２４…移動孔、２５…案内シャーシ、２６ａ、２６ｂ…ラックギ、２８…大ギア、２８ａ…ピニオンギア、２９ａ、２９ｂ…出力ギア、３０…スライドギア、３１、３２、３３、３４、３５…載置板、３１ａ、３２ａ、３３ａ、３４ａ、３５ａ…載置部、３１ｂ、３２ｂ、３３ｂ、３４ｂ、３５ｂ…開孔、３１ｃ、３１ｄ、３２ｃ、３２ｄ…リブ、３１ｅ、３２ｅ、３３ｅ、３４ｅ、３５ｅ…識別子、４０…端子板、４０ａ、４０ｂ…接点、４１、４２、４５、４６、４７…抵抗器、４３ａ、４３ｂ、４３ｃ、４３ｄ…検出接点
【図１】
2009219203.tif 000003
【図２】
2009219203.tif 000004
【図３】
2009219203.tif 000005
【図４】
2009219203.tif 000006
【図５】
2009219203.tif 000007
【図６】
2009219203.tif 000008
【図７】
2009219203.tif 000009
【図８】
2009219203.tif 000010
【図９】
2009219203.tif 000011
【図１０】
2009219203.tif 000012
【図１１】
2009219203.tif 000013
【図１２】
2009219203.tif 000014
【図１３】
2009219203.tif 000015
【図１４】
2009219203.tif 000016
【図１５】
2009219203.tif 000017
【図１６】
2009219203.tif 000018
【図１７】
2009219203.tif 000019
【図１８】
2009219203.tif 000020
【図１９】
2009219203.tif 000021
【図２０】
2009219203.tif 000022
【図２１】
2009219203.tif 000023
【図２２】
2009219203.tif 000024